(57)【要約】本発明はランク指示情報の送信方法及び装置、受信方法及び装置を提供する。その中、ランク指示情報の送信方法は、ランク指示情報とスケジューリングリクエスト情報とが同じサブフレームで送信される場合、スケジューリングリクエスト情報の伝送に用いられる物理アップリンクコントロールチャネルにランク指示情報をロードさせる。スケジューリングリクエスト情報の伝送に用いられる物理アップリンクコントロールチャネルを利用し、ランク指示情報とスケジューリングリクエスト情報とを送信する。本発明により、RI情報とSR情報とが同じサブフレームで送信されることによるPUCCHチャネル間コードの直交性の破壊の問題が解決された。従って、システムの全体の性能が確保できる。
2011520397.tif 000002
【特許請求の範囲】
【請求項１】
ランク指示情報とスケジューリングリクエスト、即ち、SR情報とが同じサブフレームで送信される場合、スケジューリングリクエスト情報の伝送に用いられる物理アップリンクコントロールチャネル、即ち、PUCCHチャネルにランク指示情報をロードさせ、スケジューリングリクエスト情報の伝送に用いられるPUCCHチャネルを利用し、ランク指示情報とスケジューリングリクエスト情報とを送信することを、含むことを特徴とするランク指示情報の送信方法。
【請求項２】
上記したスケジューリングリクエスト情報の伝送に用いられるPUCCHチャネルを利用し、前記ランク指示情報と前記スケジューリングリクエスト情報とを送信することは、具体的に、
前記ランク指示情報に対し、変調を行い、変調符号を得ることと、
前記スケジューリングリクエスト情報の伝送に用いられるPUCCHチャネルにおける各データシーケンスに前記変調符号をかけることと、
かけて得たシーケンスをターゲットキャリアにマッピングさせ、送信することとことを含むことを特徴とする請求項1に記載の方法。
【請求項３】
前記ランク指示情報が1ビットである場合、前記ランク指示情報に対し、BPSK変調を行うことと、前記ランク指示情報が2ビットである場合、前記ランク指示情報に対し、QPSK変調を行うことを特徴とする請求項2に記載の方法。
【請求項４】
スケジューリングリクエスト情報の伝送に用いられるPUCCHチャネルの有り無しを検出して、その中、前記のスケジューリングリクエスト情報の伝送に用いられるPUCCHチャネルにスケジューリングリクエスト情報とランク指示情報とがロードされていることと、
前記のスケジューリングリクエスト情報の伝送に用いられるPUCCHチャネルが検出された場合、スケジューリングリクエスト情報を得て、前記PUCCHチャネルに対して解読し、変調符号の情報を得ることと、
前記の変調符号の情報を復調し、前記のランク指示情報を得ることと、を含むことを特徴とするランク指示情報の受信方法。
【請求項５】
ランク指示情報とスケジューリングリクエスト情報とが同じサブフレームで送信される場合、前記のスケジューリングリクエスト情報の伝送に用いられるPUCCHチャネルを利用し、前記スケジューリングリクエスト情報を送信し、前記ランク指示情報は送信しないことを、含むことを特徴とするランク指示情報の送信方法。
【請求項６】
ランク指示情報とスケジューリングリクエスト情報とが同じサブフレームで送信される場合、物理アップリンク共有チャネル、即ち、PUSCHチャネルを利用し、前記スケジューリングリクエスト情報とランク指示情報とを送信すること、を含むことを特徴とするランク指示情報の送信方法。
【請求項７】
ランク指示情報とスケジューリングリクエスト情報とが同じサブフレームで送信される場合、スケジューリングリクエスト情報の伝送に用いられるPUCCHチャネルにランク指示情報をロードさせることに用いられるロードモジュールと、
前記のスケジューリングリクエスト情報の伝送に用いられるPUCCHチャネルを利用し、前記ランク指示情報と前記スケジューリングリクエスト情報とを送信することに用いられる送信モジュールと、を含むことを特徴とするランク指示情報の送信装置。
【請求項８】
スケジューリングリクエスト情報の伝送に用いられるPUCCHチャネルの有り無しを検出することに用いられる検出モジュールと、その中、前記のスケジューリングリクエスト情報の伝送に用いられるPUCCHチャネルにスケジューリングリクエスト情報とランク指示情報がロードされている検出モジュールと、
スケジューリングリクエスト情報の伝送に用いられるPUCCHチャネルが検出された場合、前記PUCCHチャネルに対して解読し、スケジューリングリクエスト情報と変調符号情報を得ることに用いられる獲得モジュールと、
前記変調符号の情報に対し復調を行い、ランク指示情報を得ることに用いられる復調モジュールと、を含むことを特徴とするランク指示情報の受信装置。
【発明の詳細な説明】
【技術分野】
【０００１】
本発明は、通信領域に関し、特にランク指示情報の送信方法及び装置、受信方法及び装置に関する。
【背景技術】
【０００２】
複数入力複数出力（Multiple-InputMultiple-Out-put、略称MIMO）技術は、第三代（3G）と第四代（4G）移動通信システムとのキーテクノロジーであり、システムの容量を増大し、伝送性能を改善することができ、他の物理層技術にもよく融合できるが、チャネル相関性が強い場合、マルチパスチャネルによるダイバーシティ利得と多重化利得とが大幅に低下し、MIMOシステム性能は、大幅に劣化することになる。現在、新しいMIMOプリコーディング方法が提案された。当該方法は、効率の高いMIMO多重方式であり、送信端と受信端とのプリコーディング処理により、MIMOチャネルを複数の独立な仮想チャネルに分けて、チャネル相関性の影響を効果的に除去した。したがって、プリコーディング技術は、各種の環境のもとでMIMOシステムの安定度を保証することができる。
【０００３】
ロング・ターム・エボリューション（Long Term Evolution、略称LTE）システムは、第三代パートナー組織の重要な計画である。プリコーディング技術がLTEでの実現は、ユーザ設備（User Equipment、略称UE）と基地局（evolved Node Base、略称eNodeB）とにコードブック（プリコーディングマトリックスの集合）を設置することで、UEが一定の準則（例えば、スループットの最大化或いはチャネルマトリックスに最も近い右特異マトリックス）に従って、コードブックから最も良いプリコーディングマトリックスを選び、プリコーディングマトリックスインデックス（Precoding Matrix Indicator、略称PMI）をeNodeBにフィードバックし、eNodeBが受信されたPMIからコードブックで対応するプリコーディングマトリックスを探し、ダウンリンク発射にそのプリコーディングマトリックスでプリコーディングの伝送を行う。他に、アップリンクチャネルでランク指示（Rank Indication、略称RI）情報をフィードバックする必要がある。そのRI情報は、1つのサブキャリアでの伝送可能な最大符号数を示す。
【０００４】
図1は、LTEシステムにおける基本フレーム構造の略図である。図1に示すように、フレーム構造は、無線フレーム、ハーフフレーム、サブフレーム、タイムスロット、符号との4つのグレードに分けられる。その中、1つの無線フレームの長さは、10msであり、2つのハーフフレームから構成され、各ハーフフレームの長さは、5msである。1つのハーフフレームは、5つのサブフレームから構成され、各サブフレームの長さは、1msである。1つのサブフレームは、2つのタイムスロットから構成され、各スロットの長さは、0.5msである。
【０００５】
LTEシステムが従来のサイクリックプレフィックスを採用する場合、1つのタイムスロットに長さ66.7usのアップリンク/ダウンリンク符号が7つ含まれる。その中、一番目の符号のサイクリックプレフィックス（Cyclic Prefix、略称CP）の長さは、5.21usであり、他の6つの符号のサイクリックプレフィックスの長さは、4.69usである。
【０００６】
LTEシステムがエクステンディドサイクリックプレフィックスを採用する場合、1つのタイムスロットに長さ66.7usのアップリンク/ダウンリンク符号が6つ含まれる。その中、各符号のサイクリックプレフィックスの長さは、すべて16.67usである。
【０００７】
1つのリソースエレメント（Resource Element、略称RE）は、1つの直交周波数分割多重（Orthogonal frequency DivisionMultiplexing、略称OFDM）符号にける1つのサブキャリヤである。それに、1つのダウンリンクリソースブロック（Resource Block、略称RB）は、12つの連続的なサブキャリヤと7つの連続的なOFDM符号（長CPの場合は、OFDM符号が6つである）とから構成され、周波数領域では180kHzであり、時間領域では1つの普通タイムスロットの時間長さである。図2は、LTEシステムにおける帯域幅が5MHzであるリソースブロックの構造略図である。図2に示すように、リソースが配分される場合、リソースブロックを基本単位として配分を行う。
【０００８】
ターゲットユーザからRI情報がフィードバックされると、ターゲットユーザがデータの送信を必要しないなら、RI情報は、物理アップリンクコントロールチャネル（Physical UplinkControl Channel、略称PUCCH）で伝送され、ターゲットユーザがデータの送信を必要するなら、RI情報は、物理アップリンク共有チャネル（Physical Uplink SharedChannel、略称PUSCH）で伝送される。
【０００９】
PUCCHのフォーマットは、format 1、format 1a、format 1b、format 2、format2a、format 2bの6種類に分けられる。その中、format 1は、１ビットのスケジューリングリクエスト（SchedulingRequest、略称SR）情報の伝送に用いられ、SRの有り無しを表す。format 1aは、１ビットのユニコードワードストリームのACK/NACK（Acknowledgement/ NegativeAcknowledgement）情報の伝送に用いられる。format 1bは、2ビットのダイコードワードストリームのACK/NACK情報の伝送に用いられ、その中、各コードワードストリームが1ビットのACK/NACK情報に対応する。format 2は、チャネル品質インジケータ（Channel QualityIndicator、略称CQI）/PMIとRI情報との伝送に用いられる。format 2aは、CQI/PMIとRI情報、ユニコードワードストリームACK/NACK情報との伝送に用いられ、format 2aは、サイクリックプレフィックスが従来サイクリックプレフィックスである場合に用いられる。format 2bは、CQI/PMIとRI情報、ダイコードワードストリームACK/NACK情報との伝送に用いられ、format 2bは、サイクリックプレフィックスが従来サイクリックプレフィックスである場合に用いられる。図3は、LTEシステムにおける物理アップリンクコントロールチャネルの周波数領域の位置の略図である。図３に示すように、各PUCCHチャネルは、2つのリソースブロックの資源を占めている。RI情報の長さは、1ビット或いは2ビットである。しかも、RI情報とCQI/PMI情報とが同じサブフレームで伝送される場合、RI情報のみ伝送される。
【００１０】
以下では、従来サイクリックプレフィックスとエクステンディドサイクリックプレフィックスとに対し、PUCCH format 1のチャネル構造を下記のように説明する。
【００１１】
図4は、従来サイクリックプレフィックスの場合、PUCCH format 1のチャネル構造の略図である。図4に示すように、従来サイクリックプレフィックスにおいては、、長さが12であるCAZAC（ConstantAmplitude Zero Auto Correlation）シーケンスを基本シーケンスに選び、1つのリソースブロックの各符号にある12つの周波数領域位置すべてに１つのCAZACシーケンスをマッピングさせる。長さが４であるwash直交符号により、そのCAZACシーケンスに対し、時間領域のスペクトラム拡散を行って、スペクトラム拡散が行われた4つのCAZACシーケンスを1つのタイムスロットの（#0，#1，#5，#6）符号にマッピングさせ、さらに、長さが３であるフーリエ変換（DiscreteFourier Transform、略称DFT）直交符号により、そのCAZACシーケンスに対し、時間領域のスペクトラム拡散を行って、スペクトラム拡散が行われた3つのシーケンスを1つのタイムスロットの（#2，#3，#4）符号にマッピングさせる。その中、3倍時間領域のスペクトラム拡散が行われたCAZACシーケンスは、PUCCHチャネルの参考信号（Reference Signal、略称RS）に用いられる。4倍時間領域のスペクトラム拡散が行われたCAZACシーケンスは、PUCCHチャネルのデータ伝送に用いられる。
【００１２】
図5は、エクステンディドサイクリックプレフィックスの場合、PUCCH format 1のチャネル構造の略図である。図5に示すように、エクステンディドサイクリックプレフィックスでは、、長さが12であるCAZACシーケンスを基本シーケンスに選び、1つのリソースブロックの各符号にある12つの周波数領域位置すべてにCAZACシーケンスをマッピングさせる。長さが４であるwash直交符号により、そのCAZACシーケンスに対し、時間領域のスペクトラム拡散を行う。従って、スペクトラム拡散が行われた4つのCAZACシーケンスを1つのタイムスロット（#0，#1，#4，#5）符号にマッピングさせる。さらに長さが２であるwash直交符号により、そのCAZACシーケンスに対し、時間領域のスペクトラム拡散を行って、スペクトラム拡散が行われた2つのシーケンスを1つのタイムスロット（#2，#3）符号にマッピングさせる。その中、２倍時間領域のスペクトラム拡散が行われたCAZACシーケンスは、PUCCHチャネルのRSに用いられる。4倍時間領域のスペクトラム拡散が行われたCAZACシーケンスは、PUCCHチャネルのデータ伝送に用いられる。
【００１３】
各PUCCH format 1チャネルは、1つの周波数領域の位置(リソースブロックのインデックス)、前記基本シーケンス、時間領域スペクトラム拡散コードに対応して、これらの情報により、各PUCCHformat 1チャネルが確定され、そのチャネルを伝送するかどうかにより、SRの情報の有り無しが確認される。
【００１４】
LTEシステムで、アップリンクデータの伝送は、シングルキャリア周波数分割多重アクセス（Single-carrier Frequency-Division Multiple Access、略称SC-FDMA）という方式が採用される。それはアップリンクリソースの連続的なマッピングが要求される。しかも、各符号におけるすべての伝送データを変調した後、DFT処理を行い、対応する周波数領域の位置にマッピングさせる。二種或いは二種類以上のPUCCHフォーマットが同じサブフレームで伝送されると、符号間干渉が起こり、PUCCHチャネル間のコードの直交性が保証できなくなるため、システム性能は劣化となる。且つ、現在、RI情報とSR情報とが同じサブフレームで伝送される方法に関し、現在の技術は、まだ具体的な対策が出されていない。
【発明の概要】
【発明が解決しようとする課題】
【００１５】
相関技術で、RI情報とSR情報とを同じサブフレームで伝送する課題を解決ための技術が必要になると考え、本発明を提案する。このため、本発明は、主にランク指示情報の送信方法及び装置、ランク指示情報の受信方法及び装置を提供することを目的とする。
【課題を解決するための手段】
【００１６】
本発明の一つの局面によると、ランク指示情報の送信方法が提供される。
【００１７】
本発明の実施例に係るランク指示情報の送信方法は、ランク指示情報とSR情報とが同じサブフレームで伝送される場合、SR情報の伝送に用いられるPUCCHチャネルにランク指示情報をロードさせ、そのSR情報の伝送に用いられるPUCCHチャネルを利用し、ランク指示情報とSR情報とを送信すること、を含む。
【００１８】
その中、上記したSR情報の伝送に用いられるPUCCHチャネルを利用してランク指示情報とSR情報とを送信する具体内容は、ランク指示情報に対して変調を行い、変調符号を得ることと、SR情報の伝送に用いられるPUCCHチャネルにける各データシーケンスに変調符号をかけることと、かけて得たシーケンスをターゲットキャリアにマッピングさせて送信することと、を含む。
【００１９】
優先的に、ランク指示情報が1ビットである場合、ランク指示情報に対し、BPSK変調を行う。ランク指示情報が２ビットである場合、ランク指示情報に対し、QPSK変調を行う。
【００２０】
本発明の一つの局面によると、ランク指示情報の受信方法が提供される。
【００２１】
本発明の実施例に係るランク指示情報の受信方法は、SR情報の伝送に用いられるPUCCHチャネルの有り無しを検出し、その中、SR情報の伝送に用いられるPUCCHチャネルにSR情報とランク指示情報がロードされていることと、SR情報の伝送に用いられるPUCCHチャネルが検出された場合、SR情報を取得し、PUCCHチャネルに対して解読し、変調符号の情報を得ることと、変調符号情報に対して復調し、ランク指示情報を得ることと、を含む。
【００２２】
本発明の一つの局面によると、ランク指示情報の送信方法が提供される。
【００２３】
本発明の実施例に係るランク指示情報の送信方法は、ランク指示情報とSR情報とが同じサブフレームで伝送される場合、SR情報の伝送に用いられるPUCCHチャネルを利用し、SR情報を送信し、ランク指示情報を送信しないこと、を含む。
【００２４】
本発明の一つの局面によると、ランク指示情報の送信方法が提供される。
【００２５】
本発明の実施例に係るランク指示情報の送信方法は、ランク指示情報とSR情報とが同じサブフレームで伝送される場合、PUSCHチャネルを利用し、SR情報とランク指示情報とを送信することを含む。
【００２６】
本発明の他の局面によると、ランク指示情報の送信装置が提供される。
【００２７】
本発明の実施例に係るランク指示情報の送信装置は、ランク指示情報とSR情報とが同じサブフレームで伝送される場合、SR情報の伝送に用いられるPUCCHチャネルにランク指示情報をロードさせるロードモジュールと、SR情報の伝送に用いられるPUCCHチャネルを利用し、ランク指示情報とSR情報とを送信することに用いられる送信モジュールと、を含む。
【００２８】
本発明の他の局面によると、ランク指示情報の受信装置が提供される。
【００２９】
本発明の実施例に係るランク指示情報の受信装置は、SR情報の伝送に用いられるPUCCHチャネルの有り無しの検出に用いられ、その中、SR情報の伝送に用いられるPUCCHチャネルにSR情報とランク指示情報とがロードされている検出モジュールと、SR情報の伝送に用いられるPUCCHチャネルが検出された場合、PUCCHチャネルに対して解読し、SR情報と変調符号情報とを得るということに用いられる獲得モジュールと、変調符号情報に対して復調し、ランク指示情報を得ることに用いられる復調モジュールと、を含む。
【発明の効果】
【００３０】
本発明の少なくとも1つの前記技術案により、RI情報とSR情報とが同じサブフレームで送信される時に起こったPUCCHチャネル間コードの直交性を破壊する問題が解決された。さらに、システムの全体の性能を確保できる。
【図面の簡単な説明】
【００３１】
添付図面は、本発明をさらに理解させるために提供されるものであって、しかも、説明書の一部を構成し、本発明の実施例とともに本発明の解釈に用いられるが、本発明に限定されるものではない。
【図１】相関技術によるLTEシステムにおける基本フレーム構造の略図である。
【図２】相関技術によるLTEシステムにおける帯域幅が5MHzであるリソースブロックの略図である。
【図３】相関技術によるLTEシステムにおける物理アップリンクコントロールチャネルの周波数領域位置の略図である。
【図４】相関技術によるシステムが従来のサイクリックプレフィックスを採用する場合、PUCCH format 1チャネル構造の略図である。
【図５】相関技術によるシステムがエクステンディドサイクリックプレフィックスを採用する場合、PUCCH format 1チャネル構造の略図である。
【図６】本発明による実施例のランク指示情報の送信方法の流れ図である。
【図７】本発明による実施例のランク指示情報の受信方法の流れ図である。
【図８】本発明による実施例のランク指示情報の送信装置の構造フレーム図である。
【図９】本発明による実施例のランク指示情報の受信装置の構造フレーム図である。
【発明を実施するための形態】
【００３２】
機能の概要
本発明の実施例に提供された技術案では、、ランク指示情報が送信される場合、SR情報の伝送に用いられるPUCCHチャネルにランク指示情報をロードさせて送信し、或いはランク指示情報を送信しない、或いはPUSCHチャネルを利用してランク指示情報を送信する。ランク指示情報が受信される場合、SR情報の伝送に用いられるPUCCHチャネルが検出されたうえで、SR情報を得てPUCCHチャネルに対して解読し、変調符号の情報を得て復調して、さらにランク指示情報を得る。この技術案は、RI情報とSR情報とが同じサブフレームで送信される時に起こったPUCCHチャネル間コードの直交性を破壊する問題が解決された。さらに、システムの全体の性能を確保できる。
【００３３】
以下、添付図面を参照しながら本発明を詳しく説明する。衝突がない場合、本願における実施例及び実施例における特徴が互いに組合せることができることを説明しておく。
【００３４】
（方法の実施例）
本発明の実施例によると、ランク指示情報の送信方法が提供される。
【００３５】
図6は、本発明の実施例によるRI情報の送信方法の流れ図である。図6に示すように、かかる方法は、以下のステップS602〜ステップS604が含まれている。
【００３６】
ステップS602は、ランク指示（RI）情報とSR情報とが同じサブフレームで送信される場合、SR情報の伝送に用いられるPUCCHチャネルにRI情報をロードさせる。
【００３７】
ステップS604は、SR情報の伝送に用いられるPUCCHチャネルを利用し、RI情報とSR情報とを送信する。
【００３８】
本発明の実施例に提供された技術案により、RI情報とSR情報とが同じサブフレームで送信される時に起こったPUCCHチャネル間コードの直交性を破壊する問題が解決されたため、システムの全体の性能を確保できる。
【００３９】
その中、ステップS604で、SR情報の伝送に用いられるPUCCHチャネルを利用し、RI情報とSR情報とを送信する具体的な内容は、RI情報に対して変調を行い、変調符号を得ることと、SR情報の伝送に用いられるPUCCHチャネルにおける各データシーケンスに変調符号をかけることと、かけて得たのシーケンスをターゲットキャリアにマッピングさせて送信することとを含む。
【００４０】
他に、RI情報が1ビットである場合、、RI情報に対してBPSK変調を行う。RI情報が２ビットである場合、ランク指示情報に対してQPSK変調を行う。
【００４１】
図7は、本発明の実施例によるRI情報の受信方法の流れ図である。図7に示すように、かかる方法は、ステップS702〜ステップS706が含まれている。
【００４２】
ステップS702は、SR情報の伝送に用いられるPUCCHチャネルの有り無しを検出する。その中、SR情報の伝送に用いられるPUCCHチャネルにSR情報とRI情報とがロードされている。
【００４３】
ステップS704は、SR情報の伝送に用いられるPUCCHチャネルが検出された場合、SR情報が得られて、さらにPUCCHチャネルを解読して変調符号情報を得る。
【００４４】
ステップS706は、変調符号情報に対して復調し、RI情報を得る。
【００４５】
図2は、帯域幅が5Mである3GPP LTEシステムのリソースブロックの構造略図である。図2に示すように、このシステムは、全部で512つのサブフレームが含まれ、その中、利用できるサブフレームは、その真ん中の300つものである。各リソースブロックは、12つの連続的なサブフレームが含まれ、5M帯域幅の3GPP LTEシステムは、全部で25つのリソースブロックが含まれる。仮にアップリンクの利用できるリソースブロックの数は、
2011520397.tif 000003
とし、すべてのリソースブロックに対し、周波数領域の低から高の順に従って番号が0、1、2，…，
2011520397.tif 000004
、
2011520397.tif 000005
であるようにリソースブロックのインデックスを表すと、番号がmであるPUCCHチャネルの周波数領域の位置は、図3に示すようなことである。以下に帯域幅が5Mである3GPP LTEシステムを例とし、本発明の実施例について詳しく説明する。
【００４６】
実施例一
ターゲットユーザにとっては、ランク指示（RI）情報とスケジューリングリクエスト（SR）情報とが同じサブフレームで送信される場合、以下に2つの状況から実施例を説明する。
【００４７】
状況一：ターゲットユーザは、SR情報を送信する必要がない場合、基地局に配分されたRI情報の伝送に用いられるPUCCHチャネルを利用し、RI情報を送信することができる。その場合、SR情報の伝送に用いられるPUCCHチャネルを利用する必要はない。即ち、既存の基準に応じて、ターゲットユーザは、基地局に配分されたRI情報の伝送に用いられるPUCCHチャネルを利用し、RI情報を送信する。
【００４８】
状況二：ターゲットユーザは、SR情報を送信する必要がある場合、基地局に配分されたSR情報の伝送に用いられるPUCCHチャネルを利用し、RI情報を送信することができる。具体的な流れは、下記のようにある。まず、伝送されるRI情報を変調して変調符号を得る。次にSR情報の伝送に用いられるPUCCHチャネル（format 1）の中のデータシーケンスに得られた変調符号をかける。即ち、変調符号は、そのデータシーケンスの各データ値それぞれにかけ、かけた結果を確認する。その中、このかけた結果は、新しいデータシーケンスである。最後に、その結果をターゲットキャリヤにマッピングさせ、基地局に送信する。基地局は、周波数領域の位置（リソースブロックのインデックス）、基本シーケンス、時間領域スペクトラム拡散コードにより、SR情報の伝送に用いられるPUCCHチャネルの有り無しを検出する。PUCCHチャネルがあるということは、ターゲットユーザからSR情報の送信があったということである。PUCCHチャネルがないということは、ターゲットユーザからSR情報の送信がなかったということである。基地局がPUCCHチャネルを検出した場合、ターゲットユーザからの上記の新しいデータシーケンスを獲得し、参考信号を利用してその新しいデータシーケンスを解析し、ローカルストレージの基本シーケンスとその新しいデータシーケンスを利用して相関計算を行って、ピーク値を得る。得たピーク値に対して復調して、RI情報を得る。
【００４９】
本発明の実施例に係るRI情報の送信方法は、RI情報とSR情報とが同じサブフレームで伝送される場合、SR情報の伝送に用いられるPUCCHチャネルを利用し、RI情報を伝送すること、を含む。
【００５０】
本発明の実施例に係るRI情報の送信方法は、RI情報とSR情報とが同じサブフレームで送信される場合、SR情報の伝送に用いられるPUCCHチャネルを利用し、SR情報を送信し、RI情報を送信しないこと、を含む。
【００５１】
実施例二
以下、依然として実施例一における帯域幅が5Mである3GPP LTEシステムを例として説明する。ターゲットユーザにとっては、RI情報を伝送するPUCCHチャネルとSR情報を伝送するPUCCHチャネルとが同じサブフレームで送信される場合、以下では、2つの状況から実施例を説明する。
【００５２】
状況一：ターゲットユーザは、SR情報を送信する必要がない場合、基地局に配分されたRI情報の伝送に用いられるPUCCHチャネルを利用し、RI情報を送信することができる。
【００５３】
状況二：ターゲットユーザは、SR情報を送信する必要がある場合、基地局に配分されたSR情報の伝送に用いられるPUCCHチャネルを利用し、SR情報を送信し、RI情報を送信しないことができる。
【００５４】
本発明の実施例に係るRI情報の送信方法は、RI情報とSR情報とが同じサブフレームで送信される場合、PUSCHチャネルを利用し、SR情報とRI情報とを送信すること、を含む。
【００５５】
実施例三
以下、依然として帯域幅が5Mである3GPP LTEシステムを例として説明する。ターゲットユーザにとっては、RI情報を伝送するPUCCHチャネルとSR情報を伝送するPUCCHチャネルとが同じサブフレームで送信される場合、以下では、2つの状況から実施例を説明する。
【００５６】
状況一：ターゲットユーザは、SR情報を送信する必要がない場合、基地局に配分されたRI情報の伝送に用いられるPUCCHチャネルを利用し、RI情報を送信することができる。
【００５７】
状況二：ターゲットユーザは、SR情報を送信する必要がある場合、基地局に配分されたPUSCHチャネルを利用し、SR情報とRI情報とを同時に伝送することができる。
【００５８】
また、本発明の実施例に係るコンピュータ可読媒質は、コンピュータによる実行可能なコマンドを保存する。そのコマンドがコンピュータ或いはCPUに実行される時、コンピュータ或いはCPUが図６と図７とに示す各ステップの処理を実行するようにさせる。優先的に、上記した実施例一〜実施例三の1つ或いは複数の例を実行させることができる。
【００５９】
（装置の実施例）
本発明の実施例に係るランク指示情報の送信装置は、図8が本発明の実施例によるランク指示情報の送信装置の略図であり、図8の示すように、ランク指示（RI）情報とSR情報とが同じサブフレームで送信される場合、SR情報の伝送に用いられるPUCCHチャネルにRI情報をロードさせるロードモジュール10と、
SR情報の伝送に用いられるPUCCHチャネルを利用し、RI情報とSR情報とを送信し、且つロードモジュール10に接続される送信モジュール20と、を含む。
【００６０】
本発明の実施例に提供されたRI情報の送信装置により、RI情報とSR情報とが同じ符号で送信される時に起こったPUCCHチャネル間コードの直交性を破壊する問題が解決された。従って、システム全体の性能が確保できる。
【００６１】
本発明の実施例に係るランク指示情報の受信装置は、図9が本発明の実施例によるRI情報の受信装置の略図であり、図9に示すように、SR情報の伝送に用いられるPUCCHチャネルの有り無しの検出に用いられ、その中、SR情報の伝送に用いられるPUCCHチャネルにSR情報とRI情報がロードされている検出モジュール12と、
SR情報の伝送に用いられるPUCCHチャネルが検出された場合、SR情報を得て、さらにPUCCHチャネルを解読し、変調符号の情報を得て、且つ検出モジュール12に接続される獲得モジュール14と、
変調符号情報に対して復調してRI情報を得ることに用いられ、獲得モジュール14に接続される復調モジュール16と、を含む。
【００６２】
上述したように、、本発明が提供するRI情報の送信方法及び装置、RI情報の受信方法及び装置により、RI情報とSR情報とが同じ符号で送信される時に起こったPUCCHチャネル間コードの直交性の破壊の問題が解決された。従って、システムの全体の性能が確保できる。
【００６３】
上述したものは本発明の実施例だけであるが、本発明に限られるものではない。実質及び要旨を逸脱しない範囲で、当業者が本発明に様々の改良及び切り替えしたものは、本発明の特許請求の範囲に含まれると理解すべきである。
【図１】
2011520397.tif 000006
【図２】
2011520397.tif 000007
【図３】
2011520397.tif 000008
【図４】
2011520397.tif 000009
【図５】
2011520397.tif 000010
【図６】
2011520397.tif 000011
【図７】
2011520397.tif 000012
【図８】
2011520397.tif 000013
【図９】
2011520397.tif 000014
【手続補正書】
【提出日】平成22年11月10日(2010.11.10)
【手続補正１】
【補正対象書類名】図面
【補正対象項目名】図４
【補正方法】変更
【補正の内容】
【図４】
2011520397.tif 000015
【国際調査報告】
2011520397.tif 000016
2011520397.tif 000017
2011520397.tif 000018
2011520397.tif 000019